(57)【要約】【課題】  省スペースで設置できる借室変電用受電盤を提供する。【解決手段】 上下で独立したフレーム枠１０ａ，１０で形成され上下略２段の機器収納空間を備えた箱形フレーム１０を有し、箱形フレーム１０の下段となる第１フレーム枠１０ａを電力需給用計器用変成器の設置部、上段となる第２フレーム枠１０ｂを真空遮断器１の設置部とし、箱形フレーム１０の底部内側に床面に固定するためのアンカー固定部７を配置した。【選択図】  図１
2016127785.tif 000002
【特許請求の範囲】
【請求項１】
高圧ケーブルにより引き込んだ電力を降圧して需要家に供給するために借室に設置する借室変電用受電盤であって、
上下２段の機器収納空間を備えた箱形フレームを有し、
前記箱形フレームの下段を電力需給用計器用変成器の設置部、上段を真空遮断器の設置部とし、前記箱形フレーム底部の内側に床面に固定するためのアンカー固定部を配置したことを特徴とする借室変電用受電盤。
【請求項２】
前記箱形フレームは、上段と下段とが独立したフレーム枠で形成され、上下を分離可能としたことを特徴とする請求項１記載の借室変電用受電盤。
【発明の詳細な説明】
【技術分野】
【０００１】
本発明は、電力の需要家から提供された部屋に設置して、高圧で引き込んだ電力を降圧して需要家に供給するための借室変電用受電盤に関する。
【背景技術】
【０００２】
５０ｋＶＡを超えて２０００ｋＶＡ以下の電力を使用する需要家では、通常電力会社が所有する変電設備が需要家建屋の一部に設けられた借室に設置される。この借室はコストを抑えるために最小限の広さしかないため、電力会社が管理する電力需給用計器用変成器と需要家が管理する真空遮断器とがアングル材等により箱状に組み立てられた箱形フレームの内に上下方向に配置された（例えば、特許文献１参照）。そして、このような受電設備は、通常真空遮断器が箱形フレームの上部或いは下部に組み付けられた状態で電気設備メーカーから出荷され、設置現場である借室に搬入された後、電力需給用計器用変成器が電力会社により設置された。
【先行技術文献】
【特許文献】
【０００３】
【特許文献１】特開２０１０−２１５８１５３号公報
【発明の概要】
【発明が解決しようとする課題】
【０００４】
上述したように、電力需給用計器用変成器と真空遮断器とを上下方向に配置したことで、設置スペースを削減できた。しかしながら、耐震性を維持するため箱形フレームはアンカーボルトにより床に固定する必要があり、箱形フレームの周囲にはそのためのスペースが必要であった。加えて、アンカー取り付け作業のためのスペースも必要であった。
図５はこの従来の箱形フレームの設置状態を示す平面説明図であり、２１が箱形フレーム、２２がアンカー固定部を示している。図５に示すように、箱形フレーム２１の背部を壁面Ｐに面するよう設置できたとしても、左右側面方向は箱形フレームの幅Ｗ３に対して十分広い作業空間Ｗ２（例えば、１メートル）を設ける必要があり、箱形フレームを２段に構成しても、アンカー作業空間を含めると削減できるスペースは僅かであった。
【０００５】
そこで、本発明はこのような問題点に鑑み、更に設置スペースを削減できる借室変電用受電盤を提供することを目的としている。
【課題を解決するための手段】
【０００６】
上記課題を解決する為に、請求項１の発明は、高圧ケーブルにより引き込んだ電力を降圧して需要家に供給するために借室に設置する借室変電用受電盤であって、上下２段の機器収納空間を備えた箱形フレームを有し、箱形フレームの下段を電力需給用計器用変成器の設置部、上段を真空遮断器の設置部とし、箱形フレーム底部の内側に床面に固定するためのアンカー固定部を配置したことを特徴とする。
この構成によれば、アンカー固定部が箱形フレームの内側であるため、アンカー固定のためのスペースを箱形フレームの外側に設ける必要がない。そして、上下２段に形成された箱形フレームの下段が電力会社が設置する電力需給用計器用変成器の設置部であるため、箱形フレームを借室に配置する段階では下段は空の状態であり機器が予め収納されているようなことはない。そのため、アンカー固定部が枠体の内側にあっても空の内部空間を利用してアンカー固定作業をスムーズに行うことができ、借室変電用受電盤を最小限のスペースで設置することが可能となり、借室の隅部を利用して設置することも可能となる。
【０００７】
請求項２の発明は、請求項１に記載の構成において、箱形フレームは上段と下段とが独立したフレーム枠で形成され、上下を分離可能としたことを特徴とする。
この構成によれば、現場で上下のフレーム枠を連結すれば良く、真空遮断器等の需要家側管理機器を工場出荷時に上側のフレーム枠に組み付けても運搬や搬入作業がし易い。また、アンカー固定作業もし易くなる。
【発明の効果】
【０００８】
本発明によれば、アンカー固定部が箱形フレームの内側であるため、アンカー固定のためのスペースを箱形フレームの外側に設ける必要がない。そして、上下２段に形成された箱形フレームの下段が電力会社が設置する電力需給用計器用変成器の設置部であるため、箱形フレームを借室に配置する段階では下段は空の状態であり機器が予め収納されているようなことはない。そのため、アンカー固定部が枠体の内側にあっても空の内部空間を利用してアンカー固定作業をスムーズに行うことができ、借室変電用受電盤を最小限のスペースで設置することが可能となり、借室の隅部を利用して設置することも可能となる。
【図面の簡単な説明】
【０００９】
【図１】本発明に係る借室変電用受電盤の一例を示す正面説明図である。
【図２】図１の借室変電用受電盤の右側面図である。
【図３】図１のＡ−Ａ線断面図である。
【図４】借室変電用受電盤の設置状態を示す平面説明図である。
【図５】従来の借室電電用受電盤の設置状態を示す平面説明図である。
【発明を実施するための形態】
【００１０】
以下、本発明を具体化した実施の形態を、図面を参照して詳細に説明する。図１〜図３は本発明に係る借室変電用受電盤の一例を示し、図１は正面図、図２は右側面図、図３はＡ−Ａ線断面図である。借室変電用受電盤は、上下２段に形成された箱形フレーム１０に機器が組み付けられて構成され、下段が電力需給用計器用変成器（以下、「ＶＣＴ」と称する）等の電力会社側機器設置スペースＳ１、上段が真空遮断器（以下、「ＶＣＢ」と称する）等の需要家側機器設置スペースＳ２となっている。ここでは下段が空の状態を示し、借室に搬入する状態を示している。
１はＶＣＢ、２は計器用変圧器、３は高圧変流器、４は断路機器であり、何れも需要家側が管理する設備のため上段に配置されている。
【００１１】
尚、６は高圧ケーブルであり、借室変電用受電盤は外部から引き込まれた高圧ケーブル６が下段に配置されるＶＣＴ（図示せず）に接続され、上段のＶＣＢ１等に接続された後、借室変電用受電盤に隣接して配置される変圧器（図示せず）に接続されて低圧に変換され、その出力が需要家の各住戸或いは負荷に供給される。
【００１２】
箱形フレーム１０は、鋼材から成る棒状のフレーム部材を溶接やねじ止めで立方体形状に連結した２つのフレーム枠（第１フレーム枠１０ａ，第２フレーム枠１０ｂ）が上下に連結されて形成されている。そのうち上段の第２フレーム枠１０ｂの内部にＶＣＢ、計器用変圧器２、高圧変流器３、断路機器４等が組み付けられている。尚、第１フレーム枠１０ａ，第２フレーム枠１０ｂの連結はボルト止め等で行われる。
【００１３】
そして、図３に示すように、箱形フレーム１０の底部である第１フレーム枠１０ａの内側４隅には床にアンカー打ちするためのアンカー固定部７が設けられている。このアンカー固定部７を介して図示しないアンカーボルト等で箱形フレーム１０が床に固定される。
図４はこの箱形フレーム１０の設置状態を説明するための平面説明図、即ち設置した借室変電用受電盤の平面説明図を示している。アンカー固定部７を箱形フレーム１０の内側に設けることで、アンカー固定のためのスペースを箱形フレーム１０の外側に設ける必要がなくなり、図４に示すように部屋の隅部に配置することが可能となる。
【００１４】
詳しくは、上下２段に形成された箱形フレーム１０の下段が電力会社が設置するＶＣＴの設置部であるため、箱形フレーム１０を借室に配置する段階では下段は空の状態であり機器が予め収納されているようなことはない。そのため、アンカー固定部７が枠体の内側にあっても空の内部空間を利用してアンカー固定作業をスムーズに行うことができ、借室変電用受電盤を最小限のスペースで設置することが可能となり、借室の隅部を利用して設置することも可能となる。
例えば、収容する機器を同一にした場合、上述した従来の箱形フレーム２１の幅Ｗ３が７５０ｍｍであった場合、アンカー固定部７を箱形フレーム１０の内側に設けた上記構成の場合は、高圧ケーブル６を第１フレーム１０ａから第２フレーム１０ｂに亘り内部に配設する空間が必要になるため、箱形フレーム１０の幅Ｗ１を７５０ｍｍより広く（例えば９００ｍｍ）する必要が生ずるが、この寸法拡大を加味しても周囲にアンカー作業のためのスペースを必要としないため、設置スペースの大幅に削減ができる。
【００１５】
そして、現場で第１フレーム枠１０ａと第２フレーム枠１０ｂとを連結すれば良く、ＶＣＢ等の需要家側管理機器を工場出荷時に上側の第２フレーム枠１０ｂに組み付けても運搬や搬入がし易いし、アンカー固定作業もし易い。
【符号の説明】
【００１６】
１・・真空遮断器、７・・アンカー固定部、１０・・箱形フレーム、１０ａ・・第１フレーム枠、１０ｂ・・第２フレーム枠、Ｓ１・・電力会社側機器設置スペース、Ｓ２・・需要家側機器設置スペース。
【図１】
2016127785.tif 000003
【図２】
2016127785.tif 000004
【図３】
2016127785.tif 000005
【図４】
2016127785.tif 000006
【図５】
2016127785.tif 000007